(57)【要約】【課題】水濡れ状況下での使い勝手が向上する電子機器、動作制御方法およびプログラムを提供する。【解決手段】電子機器は、水を検出する第１検出手段と、水とは異なる検出対象を検出する第２検出手段と、ユーザの入力を受け付ける受付機能またはユーザに情報を出力する出力機能を有する動作手段と、第１検出手段の検出結果と第２検出手段の検出結果とに基づいて動作手段の動作を制御する制御手段と、を含む。【選択図】図１
2013021477.tif 000002
【特許請求の範囲】
【請求項１】
水を検出する第１検出手段と、
前記水とは異なる検出対象を検出する第２検出手段と、
ユーザの入力を受け付ける受付機能またはユーザに情報を出力する出力機能を有する動作手段と、
前記第１検出手段の検出結果と前記第２検出手段の検出結果とに基づいて、前記動作手段の動作を制御する制御手段と、を含む電子機器。
【請求項２】
請求項１に記載の電子機器において、
前記第２検出手段は、前記検出対象として、自機器への圧力、周囲の温度、自機器の位置、自機器の場所、周囲の明るさ、または、周囲の音量を検出する、電子機器。
【請求項３】
請求項１または２に記載の電子機器において、
前記第２検出手段は、前記検出対象として、自機器への圧力を検出し、
前記制御手段は、前記第１検出手段が前記水を検出しかつ前記第２検出手段が所定値以上の圧力を検出したときの前記動作手段の動作を、前記第１検出手段が前記水を検出しかつ前記第２検出手段が前記所定値未満の圧力を検出したときの前記動作手段の動作と異なる動作にする、電子機器。
【請求項４】
請求項１から３のいずれか１項に記載の電子機器において、
前記動作手段は、前記受付機能として、ユーザからの音声入力またはタッチ入力を受け付けるユーザ入力受付機能を有する、電子機器。
【請求項５】
請求項１から４のいずれか１項に記載の電子機器において、
前記第２検出手段は、前記検出対象として、自機器への圧力を検出し、
前記動作手段は、前記受付機能として、ユーザからの音声入力またはタッチ入力を受け付けるユーザ入力受付機能を有し、
前記制御手段は、前記第１検出手段が前記水を検出しかつ前記第２検出手段が所定値以上の圧力を検出したときには、前記動作手段の前記ユーザ入力受付機能を停止し、前記第１検出手段が前記水を検出しかつ前記第２検出手段が前記所定値未満の圧力を検出したときには、前記動作手段の前記ユーザ入力受付機能を実行する、電子機器。
【請求項６】
請求項１または２に記載の電子機器において、
前記第２検出手段は、複数存在し、
前記第２検出手段の各々は、互いに異なる前記検出対象を検出する、電子機器。
【請求項７】
ユーザの入力を受け付ける受付機能またはユーザに情報を出力する出力機能を有する動作手段を含む電子機器での動作制御方法であって、
水を検出する第１検出ステップと、
前記水とは異なる検出対象を検出する第２検出ステップと、
前記第１検出ステップでの検出結果と前記第２検出ステップでの検出結果とに基づいて、前記動作手段の動作を制御する制御ステップと、を含む動作制御方法。
【請求項８】
水を検出する第１検出手段と、前記水とは異なる検出対象を検出する第２検出手段と、ユーザの入力を受け付ける受付機能またはユーザに情報を出力する出力機能を有する動作手段と、に接続されたコンピュータに、
前記第１検出手段の検出結果と前記第２検出手段の検出結果とに基づいて、前記動作手段の動作を制御する制御手順を実行させるためのプログラム。
【発明の詳細な説明】
【技術分野】
【０００１】
本発明は、電子機器、動作制御方法およびプログラムに関し、特に、水を検出する機能を有する電子機器、動作制御方法およびプログラムに関する。
【背景技術】
【０００２】
特許文献１には、防水機能付きの携帯電話機が記載されている。
【０００３】
特許文献１に記載の防水機能付き携帯電話機は、自機の水濡れを検出する水濡れ検出部と、自機の傾斜角度を検出する傾斜角度検出部と、コネクタをカバーするためのコネクタカバー部の位置を水濡れ検出部と傾斜角度検出部の各々の検出結果に基づき変更する制御部と、を有する。
【先行技術文献】
【特許文献】
【０００４】
【特許文献１】特開２０１０−２３２９２２号公報
【発明の概要】
【発明が解決しようとする課題】
【０００５】
特許文献１に記載の防水機能付き携帯電話機は、防水機能を有さない携帯電話機が動作できない環境（例えば、水中や浴室）でも利用可能になるが、水中で水濡れ状態になっても浴室等で水滴が付いて水濡れ状態なっても、つまり、いかなる水濡れ状態になっても、ユーザの入力を受け付ける機能またはユーザに情報を出力する機能は変わらない。
【０００６】
一方、ユーザは、例えば、水中で水濡れ状態になっている携帯電話機が発する音や表示や、水滴が表示部やスピーカに付いて水濡れ状態になっている携帯電話機が発する音や表示や、ノイズとなるシャワー音や視界を悪くする湯気などが存在する浴室内で水濡れ状態になっている携帯電話機が発する音や表示を、空気中の携帯電話機が発する音や表示と同様に認識することは困難であり、また、水中の携帯電話機に対して空気中の携帯電話機と同様に音声を入力することも困難となる。
【０００７】
このため、特許文献１に記載の防水機能付き携帯電話機は、水濡れ状況下では、ユーザの入力を受け付ける受付機能またはユーザに情報を出力する出力機能における使い勝手が良くないという課題があった。
【０００８】
本発明の目的は、上述した課題を解決可能な電子機器、動作制御方法およびプログラムを提供することである。
【課題を解決するための手段】
【０００９】
本発明の電子機器は、水を検出する第１検出手段と、
前記水とは異なる検出対象を検出する第２検出手段と、
ユーザの入力を受け付ける受付機能またはユーザに情報を出力する出力機能を有する動作手段と、
前記第１検出手段の検出結果と前記第２検出手段の検出結果とに基づいて、前記動作手段の動作を制御する制御手段と、を含む。
【００１０】
本発明の動作制御方法は、ユーザの入力を受け付ける受付機能またはユーザに情報を出力する出力機能を有する動作手段を含む電子機器での動作制御方法であって、
水を検出する第１検出ステップと、
前記水とは異なる検出対象を検出する第２検出ステップと、
前記第１検出ステップでの検出結果と前記第２検出ステップでの検出結果とに基づいて、前記動作手段の動作を制御する制御ステップと、を含む。
【００１１】
本発明のプログラムは、水を検出する第１検出手段と、前記水とは異なる検出対象を検出する第２検出手段と、ユーザの入力を受け付ける受付機能またはユーザに情報を出力する出力機能を有する動作手段と、に接続されたコンピュータに、
前記第１検出手段の検出結果と前記第２検出手段の検出結果とに基づいて、前記動作手段の動作を制御する制御手順を実行させる。
【発明の効果】
【００１２】
本発明によれば、水濡れ状況下でのユーザの入力を受け付ける受付機能またはユーザに情報を出力する出力機能の使い勝手を良くすることが可能になる。
【図面の簡単な説明】
【００１３】
【図１】本発明の第１実施形態の携帯端末１を示したブロック図である。
【図２】設定情報１７ａの一例を示した図である。
【図３】携帯端末１の動作を説明するためのフローチャートである。
【図４】ステップＡ７の例を示した図である。
【図５】ステップＡ１１の例を示した図である。
【図６】音声入力部１１と水濡れ検出センサ１５と圧力センサ１６と動作切り替え制御部１８とからなる電子機器を示した図である。
【図７】本発明の第２実施形態の携帯端末１Ａを示したブロック図である。
【図８】判定テーブル１７ｂの一例を示した図である。
【図９】設定情報１７ａＡの一例を示した図である。
【図１０】携帯端末１Ａの動作を説明するためのフローチャートである。
【発明を実施するための形態】
【００１４】
以下、本発明の実施形態を図面を参照して説明する。
【００１５】
（第１実施形態）
図１は、本発明の第１実施形態の携帯端末１を示したブロック図である。
【００１６】
携帯端末１は、電子機器の一例である。携帯端末１は、例えば、携帯電話端末、スマートフォン、携帯型ゲーム機、タブレット型ＰＣ（Personal Computer）、または、ノート型ＰＣである。
【００１７】
携帯端末１は、音声入力部１１と、タッチパネル１２と、スピーカ１３と、表示部１４と、水濡れ検出センサ１５と、圧力センサ１６と、記憶部１７と、動作切り替え制御部１８と、を含む。
【００１８】
音声入力部１１は、動作手段の一例である。
【００１９】
音声入力部１１は、例えば、ユーザからの音声入力を受け付ける音声入力機能を有する。なお、音声入力部１１は、ユーザからの音声入力を受け付け認識する音声入力認識機能を有してもよい。音声入力機能および音声入力認識機能は、受付機能またはユーザ入力受付機能の一例である。
【００２０】
タッチパネル１２は、動作手段の一例である。
【００２１】
タッチパネル１２としては、物体がタッチパネルに接触した際に、その物体を検出する接触タイプのタッチパネルが用いられてもよいし、物体がタッチパネルに近接した際に、その物体を検出する非接触（近接検出）タイプのタッチパネルが用いられてもよい。以下では、タッチパネル１２として、接触タイプのタッチパネルが用いられた例を説明する。
【００２２】
タッチパネル１２は、ユーザからのタッチ入力を受け付けるタッチ入力機能を有する。タッチ入力機能は、受付機能またはユーザ入力受付機能の一例である。
【００２３】
スピーカ１３は、動作手段の一例である。
【００２４】
スピーカ１３は、種々の音を出力する。スピーカ１３は、ユーザに音声情報を出力する音声情報出力機能を有する。音声情報出力機能は、出力機能の一例である。
【００２５】
表示部１４は、動作手段の一例である。
【００２６】
表示部１４は、種々の画像を表示する。表示部１４は、ユーザ用の種々の画像（例えば、アイコンやメッセージの画像）を表示する表示機能を有する。表示機能は、出力機能の一例である。
【００２７】
水濡れ検出センサ１５は、第１検出手段の一例である。
【００２８】
水濡れ検出センサ１５は、水を検出する。本実施形態では、水濡れ検出センサ１５は、携帯端末１の水濡れを検出する。水濡れ検出センサ１５として、一対の電極端子と、一対の電極端子の間の抵抗値を検出する抵抗検出部と、を含むセンサが用いられる。なお、水濡れ検出センサ１５は、一対の電極端子と抵抗検出部とを含むセンサに限らず適宜変更可能であり、例えば湿度センサでもよい。
【００２９】
圧力センサ１６は、第２検出手段の一例である。
【００３０】
圧力センサ１６は、携帯端末１への圧力を検出する。携帯端末１への圧力は、水漏れとは異なる検出対象の一例である。
【００３１】
記憶部１７は、音声入力部１１、タッチパネル１２、スピーカ１３および表示部１４の各々の動作を制御するために用いられる設定情報１７ａを記憶する。
【００３２】
図２は、設定情報１７ａの一例を示した図である。
【００３３】
図２に示した設定情報１７ａでは、携帯端末１の状態（通常、水濡れ、水中）１７ａ１ごとに、音声入力部１１、タッチパネル１２、スピーカ１３および表示部１４の各動作を表す動作情報１７ａ２が表されている。
【００３４】
なお、設定情報１７ａにおいて、携帯端末１の状態１７ａ１の「水濡れ」は、携帯端末１が水中に存在しないが水濡れしている状態（例えば、携帯端末１に水滴が付いている状態）を意味する。
【００３５】
また、設定情報１７ａは、デフォルトで設定されてもよい。また、ユーザがタッチパネル１２を操作して設定情報１７ａを設定してもよい。
【００３６】
動作切り替え制御部１８は、制御手段の一例である。
【００３７】
動作切り替え制御部１８は、水濡れ検出センサ１５の検出結果と圧力センサ１６の検出結果とに基づいて、音声入力部１１、タッチパネル１２、スピーカ１３および表示部１４の各々の動作を制御する。
【００３８】
本実施形態では、動作切り替え制御部１８は、水濡れ検出センサ１５の検出結果と圧力センサ１６の検出結果とに基づいて、携帯端末１の状態が、「通常」、「水濡れ」および「水中」のいずれであるかを判定する。
【００３９】
動作切り替え制御部１８は、携帯端末１の状態の判定結果と、記憶部１７内の設定情報１７ａと、に基づいて、音声入力部１１、タッチパネル１２、スピーカ１３および表示部１４の各々の動作を設定する。
【００４０】
次に、動作を説明する。
【００４１】
図３は、携帯端末１の動作を説明するためのフローチャートである。
【００４２】
水濡れ検出センサ１５は、携帯端末１の水濡れの検出結果を動作切り替え制御部１８に出力する。
【００４３】
動作切り替え制御部１８は、水濡れ検出センサ１５の検出結果が携帯端末１の水濡れを表すまで待つ（ステップＡ１）。
【００４４】
水濡れ検出センサ１５の検出結果が携帯端末１の水濡れを表すと、動作切り替え制御部１８は、圧力センサ１６の検出結果を取得する（ステップＡ２）。
【００４５】
続いて、圧力センサ１６の検出結果が所定値未満の圧力を表す場合には（ステップＡ３）、動作切り替え制御部１８は、携帯端末１の状態が「水濡れ」であると判定する（ステップＡ４）。所定値は、例えば、携帯端末１が水面から１ｃｍの距離の水中に存在する際に受ける水圧である。なお、所定値は、携帯端末１が水面から１ｃｍの距離の水中に存在する際に受ける水圧に限らず適宜変更可能である。
【００４６】
動作切り替え制御部１８は、携帯端末１の状態が「水濡れ」であると判定すると、記憶部１７から、携帯端末１の状態１７ａ１内の「水濡れ」に対応する動作情報１７ａ２を取得する（ステップＡ５）。
【００４７】
動作切り替え制御部１８は、「水濡れ」に対応する動作情報１７ａ２を取得すると、「水濡れ」に対応する動作情報１７ａ２に従って、音声入力部１１、タッチパネル１２、スピーカ１３および表示部１４の各々の動作を設定する（ステップＡ６）。
【００４８】
ステップＡ６では、動作切り替え制御部１８は、音声入力部１１の音声入力機能を動作（オン）し、タッチパネル１２のタッチ入力機能を動作（オン）し、スピーカ１３の音量を１段階アップし、表示部１４の輝度およびアイコンサイズを１段階アップする。なお、動作切り替え制御部１８は、スピーカ１３の音量が既に最大である場合には、スピーカ１３の音量を最大に維持し、アイコンサイズが既に最大である場合には、アイコンサイズを最大に維持する。
【００４９】
ここで、ステップＡ６の意義について説明する。
【００５０】
「水濡れ」状態（例えば、携帯端末１に水滴が付いている状態）では、音声入力部１１はユーザからの音声入力を受け付けることが可能であるため、動作切り替え制御部１８は、音声入力部１１の音声入力機能を動作（オン）する。
【００５１】
また、「水濡れ」状態では、タッチパネル１２はユーザからのタッチ入力を受け付けることが可能であるため、動作切り替え制御部１８は、タッチパネル１２のタッチ入力機能を動作（オン）する。
【００５２】
また、「水濡れ」状態では、スピーカ１３上に水滴が存在する可能性、および、スピーカ１３からの音が、スピーカ１３上の水滴にて減衰される可能性があるので、動作切り替え制御部１８は、ユーザがスピーカ１３からの音を聴きやすくするために、スピーカ１３の音量を１段階アップする。
【００５３】
また、「水濡れ」状態では、表示部１４上に水滴が存在する可能性、および、ユーザが表示部１４の表示を見る際に、表示部１４上の水滴にて表示部１４の表示が歪められ、表示部１４の表示が見難くなる可能性があるので、動作切り替え制御部１８は、ユーザが表示部１４の表示を見やすくするために、表示部１４の輝度およびアイコンサイズを１段階アップする。
【００５４】
続いて、動作切り替え制御部１８は、「水濡れ」に対応する設定を実行した旨を、ユーザへ知らせる（ステップＡ７）。
【００５５】
ステップＡ７では、動作切り替え制御部１８は、例えば、「水濡れ」に対応する設定を実行した旨のアイコン（例えば、傘マークのアイコン）を表示部１４に表示したり、「水濡れ」設定を実行した旨のメッセージ（例えば、「水濡れ設定へ変更しました」というメッセージ）を表示部１４にポップアップ表示したり、「水濡れ」に対応する設定を実行した旨の音声（例えば、「水濡れ設定へ変更しました」というメッセージ）をスピーカ１３から出力したり、これらの組み合わせを実行する。
【００５６】
図４（ａ）は、「水濡れ」に対応する設定を実行した旨のアイコンの表示例を示した図である。図４（ｂ）は、「水濡れ」に対応する設定を実行した旨のメッセージのポップアップ表示例を示した例である。図４（ｃ）は、「水濡れ」に対応する設定を実行した旨の音声の出力例を示した図である。
【００５７】
一方、ステップＡ３で、圧力センサ１６の検出結果が所定値以上の圧力を表す場合には、動作切り替え制御部１８は、携帯端末１の状態が「水中」であると判定する（ステップＡ８）。
【００５８】
動作切り替え制御部１８は、携帯端末１の状態が「水中」であると判定すると、記憶部１７から、携帯端末１の状態１７ａ１内の「水中」に対応する動作情報１７ａ２を取得する（ステップＡ９）。
【００５９】
動作切り替え制御部１８は、「水中」に対応する動作情報１７ａ２を取得すると、「水中」に対応する動作情報１７ａ２に従って、音声入力部１１、タッチパネル１２、スピーカ１３および表示部１４の各々の動作を設定する（ステップＡ１０）。
【００６０】
ステップＡ１０では、動作切り替え制御部１８は、音声入力部１１の音声入力機能を停止（オフ）し、タッチパネル１２のタッチ入力機能を停止（オフ）し、スピーカ１３の音量を１段階アップし、表示部１４の輝度およびアイコンサイズを１段階アップする。なお、動作切り替え制御部１８は、スピーカ１３の音量が既に最大である場合には、スピーカ１３の音量を最大に維持し、アイコンサイズが既に最大である場合には、アイコンサイズを最大に維持する。
【００６１】
ここで、ステップＡ１０の意義について説明する。
【００６２】
「水中」状態では、音声入力部１１がユーザからの音声入力を正確に受け付けることが困難であるため、動作切り替え制御部１８は、音声入力部１１の音声入力機能を停止（オフ）して、音声入力部１１の不必要な動作を停止する。
【００６３】
また、「水中」状態では、タッチパネルが見難くなるため、ユーザは、タッチパネル１２上のアイコン等を正確にタッチすることが困難となる可能性が高くなる。このため、「水中」状態では、動作切り替え制御部１８は、ユーザのタッチパネル１２への誤タッチを防止するために、タッチパネル１２のタッチ入力機能を停止（オフ）する。
【００６４】
また、「水中」状態では、スピーカ１３からの音が、スピーカ１３上の水にて減衰されるので、動作切り替え制御部１８は、ユーザがスピーカ１３からの音を聞きやすくするために、スピーカ１３の音量を１段階アップする。
【００６５】
また、「水中」状態では、表示部１４が見難くなるので、動作切り替え制御部１８は、ユーザが表示部１４の表示を見やすくするために、表示部１４の輝度およびアイコンサイズを１段階アップする。
【００６６】
続いて、動作切り替え制御部１８は、「水中」に対応する設定を実行した旨を、ユーザへ知らせる（ステップＡ１１）。
【００６７】
ステップＡ１１では、動作切り替え制御部１８は、例えば、「水中」設定を実行した旨のメッセージ（例えば、「水中設定へ変更しました」というメッセージ）を表示部１４にポップアップ表示したり、「水中」に対応する設定を実行した旨の音声（例えば、「水中設定へ変更しました」というメッセージ）をスピーカ１３から出力したり、これらの組み合わせを実行する。
【００６８】
図５（ａ）は、「水中」に対応する設定を実行した旨のメッセージのポップアップ表示例を示した図である。図５（ｂ）は、「水中」に対応する設定を実行した旨の音声の出力例を示した図である。
【００６９】
次に、本実施形態の効果を説明する。
【００７０】
本実施形態によれば、水濡れ検出センサ１５は、水を検出する。圧力センサ１６は、水とは異なる検出対象である圧力を検出する。音声入力部１１およびタッチパネル１２は、ユーザの入力を受け付ける受付機能を有する。スピーカ１３および表示部１４は、ユーザに情報を出力する出力機能を有する。動作切り替え制御部１８は、水濡れ検出センサ１５の検出結果と圧力センサ１６の検出結果とに基づいて、音声入力部１１、タッチパネル１２、スピーカ１３および表示部１４の動作を制御する。
【００７１】
このため、水濡れ検出センサ１５が水濡れを検出した状況下での音声入力部１１、タッチパネル１２、スピーカ１３および表示部１４の動作、つまり、ユーザの入力を受け付ける受付機能またはユーザに情報を出力する出力機能を、圧力センサ１６の検出結果に応じて設定することが可能になる。よって、水濡れ状況下での受付機能または出力機能を適宜変更でき、受付機能または出力機能の使い勝手を良くすることが可能になる。なお、この効果は、音声入力部１１、タッチパネル１２、スピーカ１３および表示部１４のうちのいずれか１つと、水濡れ検出センサ１５と、圧力センサ１６と、動作切り替え制御部１８と、からなる電子機器でも奏する。図６は、音声入力部１１と水濡れ検出センサ１５と圧力センサ１６と動作切り替え制御部１８とからなる電子機器を示した図である。
【００７２】
また、本実施形態では、音声入力部１１は、ユーザからの音声入力を受け付けるユーザ入力受付機能を有し、タッチパネル１２は、ユーザからのタッチ入力を受け付けるユーザ入力受付機能を有する。このため、水濡れ検出センサ１５が水濡れを検出した状況下で、ユーザ入力受付機能を、圧力センサ１６の検出結果に応じて設定することが可能になる。よって、水濡れ状況下でのユーザ入力受付機能を適宜変更でき、ユーザ入力受付機能の使い勝手を良くすることが可能になる。
【００７３】
また、本実施形態では、動作切り替え制御部１８は、水濡れ検出センサ１５が水漏れを検出しかつ圧力センサ１６が所定値以上の圧力を検出したときの音声入力部１１とタッチパネル１２の各動作を、水濡れ検出センサ１５が水漏れを検出しかつ圧力センサ１６が所定値未満の圧力を検出したときの音声入力部１１とタッチパネル１２の各動作と異なる動作にする。このため、動作切り替え制御部１８は、携帯端末１に単に水がかかっている状況と、携帯端末１が水中にある状況とで、音声入力部１１とタッチパネル１２との各動作（ユーザ入力受付機能）を変更することが可能になり、ユーザ入力受付機能の使い勝手を良くすることが可能になる。
【００７４】
なお、音声入力部１１の音声入力機能（ユーザ入力受付機能）は、携帯端末１に単に水がかかっている状況では使用可能であるが、携帯端末１が水中にある状況では音声入力部１１に音声が正確に届かないため有効に動作しない恐れがある。
【００７５】
また、タッチパネル１２のタッチ入力機能（ユーザ入力受付機能）は、携帯端末１に単に水がかかっている状況では使用可能であるが、携帯端末１が水中にある状況では水圧等の関係でタッチ位置を正確に検出できない恐れがある。
【００７６】
本実施形態では、動作切り替え制御部１８は、水濡れ検出センサ１５が水漏れを検出しかつ圧力センサ１６が所定値以上の圧力を検出したときには、音声入力部１１とタッチパネル１２のユーザ入力受付機能を停止し、水濡れ検出センサ１５が水漏れを検出しかつ圧力センサ１６が所定値未満の圧力を検出したときには、音声入力部１１とタッチパネル１２のユーザ入力受付機能を実行する。
【００７７】
このため、動作切り替え制御部１８は、音声入力部１１とタッチパネル１２のユーザ入力受付機能が使用可能なときに、そのユーザ入力受付機能を実行し、音声入力部１１とタッチパネル１２のユーザ入力受付機能が十分に機能しないときに、そのユーザ入力受付機能を停止することができる。
【００７８】
なお、上記実施形態では、動作手段として、音声入力部１１、タッチパネル１２、スピーカ１３および表示部１４が用いられたが、動作手段は、これらに限らず適宜変更可能であり、動作手段の数も４つに限らず適宜変更可能である。
【００７９】
また、設定情報１７ａも適宜変更可能である。
【００８０】
また、「水濡れ」状態時に、ユーザがタッチパネル１２を用いて特定の設定の変更を繰り返す場合、動作切り替え制御部１８は、その特定の設定の変更の回数をカウントし、その回数が予め設定された閾値を超えると、変更後の設定を設定情報１７ａに反映してもよい。
【００８１】
また、「水中」状態時に、ユーザがタッチパネル１２を用いて特定の設定の変更を繰り返す場合、動作切り替え制御部１８は、その特定の設定の変更の回数をカウントし、その回数が予め設定された閾値を超えると、変更後の設定を設定情報１７ａに反映してもよい。
【００８２】
また、タッチパネル１２として、接触タイプのタッチパネルと静電容量検出型の非接触（近接検出）タイプのタッチパネルとが設けられた場合、動作切り替え制御部１８は、水濡れセンサ１５が水濡れを検出していないときには、静電容量検出型の非接触タイプのタッチパネルを使用可能とし接触タイプのタッチパネルを使用不可とし、水濡れセンサ１５が水濡れを検出したときには、静電容量検出型の非接触タイプのタッチパネルを使用不可とし接触タイプのタッチパネルを使用可能としてもよい。水濡れセンサ１５が水濡れを検出したときに非接触タイプのタッチパネルを使用不可とすることで、水濡れに起因する静電容量検出型の非接触タイプのタッチパネルの誤動作を防止することが可能になる。
【００８３】
なお、非接触タイプのタッチパネルとして、水濡れに起因する誤動作を生じない非接触タイプのタッチパネルが用いられた場合には、動作切り替え制御部１８は、水濡れセンサ１５が水濡れを検出していないときには、非接触タイプのタッチパネルを使用不可とし接触タイプのタッチパネルを使用可能とし、水濡れセンサ１５が水濡れを検出したときには、非接触タイプのタッチパネルを使用可能とし接触タイプのタッチパネルを使用不可としてもよい。
【００８４】
また、動作切り替え制御部１８は、音声入力部１１とタッチパネル１２とスピーカ１３と表示部１４と水濡れ検出センサ１５と圧力センサ１６と記憶部１７が接続されたコンピュータにて実現されてもよい。この場合、このコンピュータは、コンピュータにて読み取り可能なＣＤ−ＲＯＭ（Compact Disk Read Only Memory）のような記録媒体に記録されたプログラムを読込み実行して、動作切り替え制御部１８として機能する。記録媒体は、ＣＤ−ＲＯＭに限らず適宜変更可能である。
【００８５】
（第２実施形態）
図７は、本発明の第２実施形態の携帯端末１Ａを示したブロック図である。なお、図７において、図１に示したものと同一構成のものには同一符号を付してある。
【００８６】
第２実施形態の携帯端末１Ａでは、第１実施形態における圧力センサ１６の代わりに、温度センサ１９と場所センサ２０と明るさセンサ２１と音量センサ２２が用いられ、動作切り替え制御部１８の代わりに動作切り替え制御部１８Ａが用いられ、設定情報１７ａの代わりに設定情報１７ａＡが用いられ、記憶部１７は判定テーブル１７ｂをさらに記憶し、タッチパネル１２が省略されている。
【００８７】
以下、第２実施形態の携帯端末１Ａについて、第１実施形態の携帯端末１と異なる点を中心に説明する。
【００８８】
携帯端末１Ａは、電子機器の一例である。携帯端末１Ａは、例えば、携帯電話端末、スマートフォン、携帯型ゲーム機、タブレット型ＰＣ、または、ノート型ＰＣである。
【００８９】
温度センサ１９は、第２検出手段の一例である。
【００９０】
温度センサ１９は、携帯端末１Ａの周囲の温度を検出する。携帯端末１Ａの周囲の温度は、水漏れとは異なる検出対象の一例である。
【００９１】
場所センサ２０は、第２検出手段の一例である。
【００９２】
場所センサ２０は、例えば、ＧＰＳ（Global Positioning System）と地図データとを有し、携帯端末１Ａが位置する場所を検出する。携帯端末１Ａの位置する場所は、携帯端末１Ａの位置を表し、また、水漏れとは異なる検出対象の一例である。
【００９３】
明るさセンサ２１は、第２検出手段の一例である。
【００９４】
明るさセンサ２１は、携帯端末１Ａの周囲の明るさを検出する。携帯端末１Ａの周囲の明るさは、水漏れとは異なる検出対象の一例である。
【００９５】
音量センサ２２は、第２検出手段の一例である。
【００９６】
音量センサ２２は、携帯端末１Ａの周囲の音量を、携帯端末１Ａの周囲の雑音の音量として検出する。携帯端末１Ａの周囲の雑音の音量は、水漏れとは異なる検出対象の一例である。
【００９７】
判定テーブル１７ｂは、携帯端末１Ａが存在している環境（以下、単に「環境」と称する）を判定するために用いられる。
【００９８】
図８は、判定テーブル１７ｂの一例を示した図である。
【００９９】
図８に示した判定テーブル１７ｂでは、水濡れ検出センサ１５が水濡れを検出した状況における温度センサ１９と場所センサ２０と明るさセンサ２１と音量センサ２２の各検出結果の組み合わせ１７ｂ１単位で、環境（風呂、雨天屋外、単純水濡れ）１７ｂ２が表されている。
【０１００】
なお、判定テーブル１７ｂは、デフォルトで設定されてもよい。また、ユーザが不図示の入力部を操作して判定テーブル１７ｂを設定してもよい。また、判定テーブル１７ｂは、適宜変更可能である。
【０１０１】
設定情報１７ａＡは、音声入力部１１、スピーカ１３および表示部１４の各々の動作を制御するために用いられる。
【０１０２】
図９は、設定情報１７ａＡの一例を示した図である。
【０１０３】
図９に示した設定情報１７ａＡでは、環境（風呂、雨天屋外、単純水濡れ）１７ａＡ１ごとに、音声入力部１１、スピーカ１３および表示部１４の動作が表す動作情報１７ａＡ２が表されている。
【０１０４】
なお、設定情報１７ａＡは、デフォルトで設定されてもよい。また、ユーザが不図示の入力部を操作して設定情報１７ａＡを設定してもよい。また、設定情報１７ａＡは、適宜変更可能である。
【０１０５】
動作切り替え制御部１８Ａは、制御手段の一例である。
【０１０６】
動作切り替え制御部１８Ａは、水濡れ検出センサ１５と温度センサ１９と場所センサ２０と明るさセンサ２１と音量センサ２２の各々の検出結果とに基づいて、音声入力部１１、スピーカ１３および表示部１４の各々の動作を制御する。
【０１０７】
本実施形態では、動作切り替え制御部１８Ａは、水濡れ検出センサ１５と温度センサ１９と場所センサ２０と明るさセンサ２１と音量センサ２２の各々の検出結果と、記憶部１７内の判定テーブル１７ｂと、に基づいて、環境が「風呂」または「雨天屋外」または「単純水濡れ」または「その他」であるかを判定する。
【０１０８】
動作切り替え制御部１８Ａは、環境の判定結果と、記憶部１７内の設定情報１７ａＡと、に基づいて、音声入力部１１、スピーカ１３および表示部１４の各々の動作を設定する。
【０１０９】
次に、動作を説明する。
【０１１０】
図１０は、携帯端末１Ａの動作を説明するためのフローチャートである。
【０１１１】
水濡れ検出センサ１５は、携帯端末１の水濡れの検出結果を動作切り替え制御部１８Ａに出力する。
【０１１２】
動作切り替え制御部１８Ａは、水濡れ検出センサ１５の検出結果が携帯端末１の水濡れを表すまで待つ（ステップＢ１）。
【０１１３】
水濡れ検出センサ１５の検出結果が携帯端末１の水濡れを表すと、動作切り替え制御部１８Ａは、温度センサ１９と場所センサ２０と明るさセンサ２１と音量センサ２２の各検出結果を取得する（ステップＢ２）。
【０１１４】
動作切り替え制御部１８Ａは、温度センサ１９と場所センサ２０と明るさセンサ２１と音量センサ２２の各検出結果と、記憶部１７内の判定テーブル１７ｂと、を参照して、環境を判定する（ステップＢ３）。
【０１１５】
例えば、ステップＢ３では、動作切り替え制御部１８Ａは、温度センサ１９の検出結果が予め定められた高温領域に属し、かつ、場所センサ２０の検出結果が屋内を表し、かつ、明るさセンサ２１の検出結果が予め定められた明るさ閾値以上の明るさを表し、かつ、音量センサ２２の検出結果が、予め定められた雑音量「小」〜雑音量「中」に属する場合、環境が「風呂」と判定する。
【０１１６】
また、動作切り替え制御部１８Ａは、温度センサ１９の検出結果が予め定められた低温領域〜中温領域に属し、かつ、場所センサ２０の検出結果が屋外を表し、かつ、明るさセンサ２１の検出結果が予め定められた明るさ閾値未満の明るさを表し、かつ、音量センサ２２の検出結果が、予め定められた雑音量「中」〜雑音量「大」に属する場合、環境が「雨天屋外」と判定する。
【０１１７】
また、動作切り替え制御部１８Ａは、温度センサ１９の検出結果が予め定められた低温領域〜中温領域に属し、かつ、場所センサ２０の検出結果が屋内を表し、かつ、明るさセンサ２１の検出結果が予め定められた明るさ閾値以上の明るさを表し、かつ、音量センサ２２の検出結果が、予め定められた雑音量「小」〜雑音量「中」に属する場合、環境が「単純水濡れ」と判定する。
【０１１８】
また、動作切り替え制御部１８Ａは、温度センサ１９と場所センサ２０と明るさセンサ２１と音量センサ２２の各検出結果の組み合わせが判定テーブル１７ｂにない場合には、環境が「その他」と判定する。
【０１１９】
続いて、環境の判定結果が「その他」でない場合には（ステップＢ４）、動作切り替え制御部１８Ａは、記憶部１７から、環境の判定結果に対応する動作情報１７ａ２Ａを取得する（ステップＢ５）。
【０１２０】
動作切り替え制御部１８Ａは、環境の判定結果に対応する動作情報１７ａ２Ａを取得すると、その動作情報１７ａ２Ａに従って、音声入力部１１、スピーカ１３および表示部１４の各々の動作を設定する（ステップＢ６）。
【０１２１】
例えば、環境が「風呂」である場合、音声入力部１１がユーザからの音声入力を受け付けることが可能であるため、動作切り替え制御部１８Ａは、音声入力部１１の音声入力機能を動作（オン）する。
【０１２２】
また、環境が「風呂」である場合、ユーザはシャワー使用時に携帯端末１Ａへの関心が低くなる可能性があるので、動作切り替え制御部１８Ａは、ユーザがスピーカ１３からの音を聞きやすくするために、スピーカ１３の音量を１段階アップする。
【０１２３】
また、環境が「風呂」である場合、湯気にて表示部１４の表示が見難くなる可能性があるので、動作切り替え制御部１８Ａは、表示部１４の表示を見やすくするために、表示部１４の輝度を１段階アップする。
【０１２４】
また、環境が「雨天屋外」である場合、携帯端末１Ａの周囲は暗く、周囲の雑音が大きい可能性が高い。
【０１２５】
環境が「雨天屋外」である場合、音声入力部１１がユーザからの音声入力を受け付けることが可能であるため、動作切り替え制御部１８Ａは、音声入力部１１の音声入力機能を動作（オン）する。
【０１２６】
また、環境が「雨天屋外」である場合、周囲の雑音にてスピーカ１３からの音が聞き取り難くなる可能性が高くなるので、動作切り替え制御部１８Ａは、スピーカ１３からの音が聞きやすくなるように、スピーカ１３の音量を１段階アップする。
【０１２７】
また、環境が「雨天屋外」である場合、携帯端末１Ａの周囲が暗い可能性が高いため、動作切り替え制御部１８Ａは、表示部１４の表示が見やすくなるように、表示部１４の輝度およびアイコンサイズを１段階アップする。
【０１２８】
また、環境が「単純水濡れ」である場合、音声入力部１１がユーザからの音声入力を受け付けることが可能であるため、動作切り替え制御部１８Ａは、音声入力部１１の音声入力機能を動作（オン）する。
【０１２９】
続いて、動作切り替え制御部１８Ａは、環境に対応する設定を実行した旨を、スピーカ１３または表示部１４を用いてユーザへ知らせる（ステップＢ７）。
【０１３０】
なお、ステップＢ４において、環境の判定結果が「その他」である場合には、動作切り替え制御部１８Ａは、音声入力部１１の音声入力機能を動作（オン）にする（ステップＢ８）。
【０１３１】
本実施形態によれば、互いに異なる検出対象を検出する複数の第２検出手段として、温度センサ１９と場所センサ２０と明るさセンサ２１と音量センサ２２が用いられる。動作切り替え制御部１８Ａは、水濡れ検出センサ１５と温度センサ１９と場所センサ２０と明るさセンサ２１と音量センサ２２の各検出結果に基づいて、音声入力部１１、スピーカ１３および表示部１４の各々の動作（受付機能または出力機能）を設定する。このため、水濡れ状況下での携帯端末１Ａにおける受付機能または出力機能の動作を細かく設定でき、携帯端末１Ａにおける受付機能または出力機能の使い勝手を良くすることが可能になる。
【０１３２】
なお、上記実施形態では、動作手段として、音声入力部１１、スピーカ１３および表示部１４が用いられたが、動作手段は、これらに限らず適宜変更可能であり、動作手段の数も３つに限らず適宜変更可能である。
【０１３３】
また、ある環境下で、ユーザが不図示の入力部を用いて特定の設定の変更を繰り返す場合、動作切り替え制御部１８Ａは、その環境下で、その特定の設定の変更の回数をカウントし、その回数が予め設定された閾値を超えると、変更後の設定を設定情報１７ａＡに反映してもよい。
【０１３４】
また、動作切り替え制御部１８Ａは、音声入力部１１とスピーカ１３と表示部１４と水濡れ検出センサ１５と温度センサ１９と場所センサ２０と明るさセンサ２１と音量センサ２２と記憶部１７が接続されたコンピュータにて実現されてもよい。この場合、このコンピュータは、コンピュータにて読み取り可能なＣＤ−ＲＯＭのような記録媒体に記録されたプログラムを読込み実行して、動作切り替え制御部１８Ａとして機能する。
【０１３５】
以上説明した各実施形態において、図示した構成は単なる一例であって、本発明はその構成に限定されるものではない。
【符号の説明】
【０１３６】
１、１Ａ  携帯端末
１１      音声入力部
１２      タッチパネル
１３      スピーカ
１４      表示部
１５      水濡れ検出センサ
１６      圧力センサ
１７      記憶部
１８、１８Ａ  動作切り替え制御部
１９      温度センサ
２０      場所センサ
２１      明るさセンサ
２２      音量センサ
【図１】
2013021477.tif 000003
【図２】
2013021477.tif 000004
【図３】
2013021477.tif 000005
【図４】
2013021477.tif 000006
【図５】
2013021477.tif 000007
【図６】
2013021477.tif 000008
【図７】
2013021477.tif 000009
【図８】
2013021477.tif 000010
【図９】
2013021477.tif 000011
【図１０】
2013021477.tif 000012